(57)【要約】【課題】この発明は、二輪車のカゴのカバー、カゴに入れた荷物の雨よけカバー、雨よけカバーの収納ポケットを一体化することにより、各々の性能、収納、利便性、を高め、またカゴに入れるかばんを傷や雨から保護するカゴカバーと、雨よけカバーをフリーサイズとしたものである。【解決手段】カゴのカバーの形は略長方形状の扁平とし、その長辺片側に紐を通して絞れるようし、そのカゴカバーの中心よりに、淵を紐で絞れるようにした、雨よけカバーの一辺を取り付け、その雨よけカバーを取り付けた真下に、雨よけカバーの収納ポケットを設けたことを特徴とする、二輪車用カゴカバー。【選択図】図２
2006327560.tif 000002
【特許請求の範囲】
【請求項１】
横長で扁平状の生地からなるカゴのカバーの長辺片側に紐を通して絞れるようし、そのカゴカバーの中心よりに、淵にギャザーのよる雨よけカバーの一辺を取り付け、その雨よけカバーを取り付けた真下に、雨よけカバーの収納ポケットを設けたことを特徴とする、二輪車用カゴカバー。
【発明の詳細な説明】
【技術分野】
【０００１】  この発明は、二輪車のカゴのカバーと、雨よけカバーと、雨よけカバーの収納ポケットを一体化することにより、雨よけカバーの性能、収納、利便性、を更に高め、カゴカバー、雨よけカバー共に、フリーサイズとし、またカゴカバーによりカゴに入れるかばんの傷防止、盗難防止もかね、常時取り付けておけるようにした二輪車用カゴカバーに関するものである。
【背景技術】
【０００２】  従来、二輪車カゴの、雨よけカバーとその収納ポケット、カゴのカバーがばらばらで、またそれら全てを、常時かごに取り付けておけるものがなかった。
雨よけカバーの場合、現在いろいろとあるが、例えばカゴ後方（ハンドル側）に取り付けて、前に向かってかけるもの、ゴムで生地の端にギャザーを寄せた袋状のカバー、カゴの形に沿った形状で上部をきっちりチャックで閉めるもの、巾着タイプのもの、等がある。
カゴカバーについては、フリーサイズのものがなく、カゴの外側を覆うような形状のものがある。
【発明の開示】
【発明が解決しようとする課題】
【０００３】（イ）カゴカバーについては、従来のものはカゴの外側を覆う形状のため、荷物を埃や雨からカバーできるが、大切なかばんはカゴに直接接触するため、出し入れの際、気を付けないとかばんの表面に傷をつけてしまうことがあった。また、底面があるため、底に埃、ゴミ、雨がたまり汚らしくなりがちだった。フリーサイズではないため、カゴに合うのサイズのカバーを探さなくてはならなかった。
（ロ）雨よけカバーについては、雨が降ったとき、カゴの高さよりはみ出る大きい荷物を覆うことができなかった。例えば通勤や通学のかばんなどはほとんどカゴよりサイズが大きく高さが飛び出るため雨よけカバーは使えずに意味をなさなかった。また、ハンドルに取り付けてカゴ前方に向ってかけるタイプの雨よけカバーは走行中の前風からの影響をさけるため、重い生地を使用していて携帯的な実用性がなかった。また、ゴムで生地の端にギャザーを寄せた袋状のカバーについては、未使用時かさばるため、邪魔になり保管が面倒だった。
（ハ）雨よけカバーの収納ポケットについては、あってもしまうのが面倒なため使用しなくなってしまいがちだった。
【課題を解決するための手段】
【０００４】  横長で扁平状の生地からなるカゴのカバーの長辺片側に紐を通して絞れるようし、そのカゴカバーの中心よりに、淵にギャザーのよる雨よけカバーの一辺を取り付け、その雨よけカバーを取り付けた真下に、雨よけカバーの収納ポケットを設けたことを特徴とする、二輪車用カゴカバー。
【発明の効果】
【０００５】  カゴカバー１つを取り付ければ、それに、雨よけカバーとその収納ポケットがついている。雨よけカバーの一辺が、カゴカバーのカゴ前面の上部に常時取り付けてあり、しっかり安定した位置で固定してあるため、雨よけカバー使用時、走行中の前からの風の影響が少なくなるたり、雨よけカバーはサイズ調節できて荷物に沿うため軽くて大きい生地を利用でき、カゴからはみでる大きいかばんでも安定して全面覆え、雨、盗難からカバーできる。カゴに常時取り付けてあり収納ポケットに入っているため、急な雨のときでもいつでも使え安心である。また雨よけカバーの一辺がカゴカバーにしっかり接着か縫うなどして接続してあることにより、利用時、荷物を覆うのが楽である。
カゴカバーの雨よけカバーが取り付けてある位置の真下に収納ポケットがついているため雨よけカバー未使用時、簡単に収納できる。収納後、邪魔にならず見た目もきれいである。また、カゴの内側を覆ってあるカゴカバーにより大切なかばんを出し入れ時等の擦り傷から保護する。底面には生地がなく、雨よけカバーも簡単にポケットに収納できるようになっているためカゴの底に保管ということが起こらないため、雨などの水やほこりが底にたまらない。
一体化することにより各々の機能が更に、便利になって利用できる。
【発明の実施をするための最良の形態】
【０００６】（イ）カゴカバー（１）は、扁平状の長方形の生地でできている。
（ロ）カゴカバー（１）の長辺の片側の紐通し部（１０）に紐（４）を通して絞ることによりギャザーを寄せてサイズ調整できるようにする。
（ハ）カゴカバー（１）の中心よりに、ポケット（２）、その真上にポケットの蓋（８）を設け、その蓋（８）の横左右に、折り返しライン（Ａ）を挟んで小さい２対の穴（７）を設ける。
（ニ）雨よけカバー（３）は大きい荷物もカバーできるように大きめの大きさとし、両端サイドの紐通し部（１１）に紐（９）を通して、ギャザーを寄せるようにすることでサイズ調整ができ、立体形状になるためどんなサイズの荷物にも沿い、走行風の影響を受けにくく安定して覆うことができる。
（ホ）雨よけカバー（３）に通した紐（９）のカゴカバー（１）側は、留具（６）を設け、使用時カゴに留めるられるようにし、上部は紐留（５）でサイズ調節できるようにする。
（ヘ）カゴカバー（１）のポケット（２）とポケットの蓋（８）の間の、折り返しライン（Ａ）の中心に雨よけカバー（３）の縫い合わせライン（Ｂ）をあわせ、縫うなり、接着なりで接続する。
本発明は以上の構成よりなる。
これを使用するときは、まずカゴカバー（１）をカゴ（Ｃ）に装着する。
方法は、カゴカバー（１）をポケット（２）の口が上にくるように、ポケット（２）をカゴ（Ｃ）の前面の内側に合わせて配置して、折り返しライン（Ａ）をカゴ（Ｃ）の外側に山折にする。紐（４）をカゴ（Ｃ）の外側で絞り、カゴ（Ｃ）を自転車に取り付ける金具（Ｄ）の下できつく縛る。
更に、ずれないようにカゴカバー（１）の穴（７）に、リング（１４）などで、カゴ（Ｃ）の淵にしっかり固定する。
雨よけカバー（３）使用時はポケット（２）からだして後方に向って広げて荷物を覆い、紐（９）を紐留（５）で絞って荷物に合わせてサイズ調整する。  風や雨が強くてしっかり覆いたい場合は、紐（９）を自転車のハンドルに上からくぐらせて紐留（５）を絞る。必要な場合は留具（６）をカゴ（Ｃ）に留める。未使用時は収納ポケット（２）に入れる。
【図面の簡単な説明】
【０００７】
【図１】本発明の取り付け前の分解図
【図２】本発明のカゴに装着し、雨よけカバーを開いた後面図。
【図３】本発明の雨よけカバーをポケットに収納した後面図。
【図４】本発明の装着後の斜視図
【図５】本発明の装着後の雨よけカバーを開いた側面図
【符号の説明】
【０００８】１      カゴカバー
２      ポケット
３      雨よけカバー
４      紐
５      紐留
６      留具
７      穴
８      蓋
９      紐
１０    紐とおし部
１１    紐とおし部
１２    折り返し部
１３    ハンドル
１４    リング
Ａ      折り返しライン
Ｂ      縫い合わせライン
Ｃ      カゴ
Ｄ      金具
【図１】
2006327560.tif 000003
【図２】
2006327560.tif 000004
【図３】
2006327560.tif 000005
【図４】
2006327560.tif 000006
【図５】
2006327560.tif 000007